(57)【特許請求の範囲】
【請求項１】
複数の進相コンデンサから０個以上を母線に投入し、または０個まで前記母線から解列することによって、あらかじめ設定された目標力率になるように前記母線の力率を調整する力率調整装置であって、
前記複数の進相コンデンサのうち、前記母線に投入し、または前記母線から解列する進相コンデンサの台数を順次設定する掃引回路と、
投入または解列後に前記母線に接続されている進相コンデンサ台数を切り替えるごとに、前記母線の電圧歪および電流歪を測定し、測定された前記電圧歪が第１しきい値よりも大きい場合の、または測定された前記電流歪が第２しきい値よりも大きい場合の前記進相コンデンサ台数を、前記母線に投入する台数から除外するスキップ台数として出力する高調波測定手段と、
前記スキップ台数にもとづいて、前記母線に投入し、または前記母線から解列する前記進相コンデンサの台数を設定する進相コンデンサ台数設定手段と、
を備えた力率調整装置。
【請求項２】
前記高調波測定手段は、前記電圧歪が前記第１しきい値よりも大きい、または、前記電流歪が前記第２しきい値よりも大きいことによって、前記スキップ台数が複数個設定される場合には、前記電圧歪または前記電流歪が最大のときの前記スキップ台数出力する請求項１記載の力率調整装置。
【請求項３】
複数の進相コンデンサから０個以上を母線に投入し、または０個まで前記母線から解列することによって、あらかじめ設定された目標力率になるように前記母線の力率を調整する力率調整装置の、前記母線に投入すべき進相コンデンサの台数を補正する補正装置であって、
前記複数の進相コンデンサのうち、前記母線に投入し、または前記母線から解列する進相コンデンサの台数を順次設定する掃引回路と、
投入または解列後に前記母線に接続されている進相コンデンサ台数を切り替えるごとに、前記母線の電圧歪および電流歪を測定し、測定された前記電圧歪が第１しきい値よりも大きい場合の、または測定された前記電流歪が第２しきい値よりも大きい場合の前記進相コンデンサ台数を、前記母線に投入する台数から除外するスキップ台数として出力する高調波測定手段と、
前記スキップ台数にもとづいて、前記母線に投入し、または前記母線から解列する前記進相コンデンサの台数を設定する進相コンデンサ台数設定手段と、
を備えた補正装置。
【発明の詳細な説明】
【技術分野】
【０００１】
本発明の実施形態は、進相コンデンサを母線に投入または解列し、受電点の力率を調整する力率調整装置、および投入または解列時の進相コンデンサの台数を適切な値に補正する補正装置に関する。
【背景技術】
【０００２】
産業プラント等において、電源系統との連系点、すなわち受電点の力率改善対策として進相コンデンサが一般的に使用されている。産業プラント等の事業者は、高力率を実現することによって電力事業者との間で低価格の契約を結ぶことができる。一方で、進相コンデンサを構内の母線に接続したままにすると、夜間等の軽負荷時に力率が進みすぎ、母線電圧の上昇を生じことがある。母線電圧の上昇が問題になる場合には、力率に応じて母線に接続する進相コンデンサが適切な台数になるように、投入または解列する自動力率調整装置（ＡＰＦＣ）が導入される。
【０００３】
進相コンデンサを投入または解列する場合には、１台ずつ順次投入または順次解列していくが、特定の進相コンデンサ台数が母線に接続されたときに、母線の高調波電圧歪みや、母線に流入する高調波電流が著しく増大することがある。これは、投入した進相コンデンサの台数、電源インピーダンス、および構内インピーダンスで決まる系全体のインピーダンス（これを駆動点インピーダンスともいう。）が特定周波数で増大し、小さな高調波電流に対しても大きな電圧歪が生じる状態、すなわち高調波並列共振に陥ったために生ずる。高調波並列共振の様相は、プラントにより、または電源系統によって、共振する高調波次数やその拡大率が異なる。たとえば、完全並列共振状態になった場合には、プラントの操業自体に支障が生じるおそれがある。
【０００４】
このような高調波並列共振現象を回避するため、ＡＰＦＣには、オフライン計算等によって求めた高調波並列共振の条件を回避する機能を有するものがある。たとえば、高調波並列共振を生じる進相コンデンサの投入台数をプリセットしておくことによって、ＡＰＦＣは、進相コンデンサを順次投入または順次解列する際に、その台数の設定を除外（スキップ）するように動作する。これによって、高調波並列共振によるプラント機器等の不具合を改善することができる。
【０００５】
しかし、プラント構内の高調波並列共振現象は、進相コンデンサの投入台数だけで決まるものではない。電源系統の変化、または構内に設置された負荷やケーブル、高調波フィルタの有無などで駆動点インピーダンスは変化してしまい、共振時の高調波次数も高調波拡大率も変化する。
【先行技術文献】
【非特許文献】
【０００６】
【非特許文献１】芦崎祐介、田頭直子、「産業プラントにおける多様化する高調波障害とその改善事例」（１−１８８）、平成２３年電気学会産業応用部門大会論文集、平成２３年９月６日発行、１−ｐ８０９〜１−ｐ８１０
【発明の概要】
【発明が解決しようとする課題】
【０００７】
実施形態は、周囲条件に応じて、並列共振を回避する進相コンデンサのスキップ台数を設定することができる力率調整装置および補正装置を提供する。
【課題を解決するための手段】
【０００８】
実施形態に係る力率調整装置は、複数の進相コンデンサから０個以上を母線に投入し、または０個まで前記母線から解列することによって、あらかじめ設定された目標力率になるように前記母線の力率を調整する力率調整装置である。力率調整装置は、前記複数の進相コンデンサのうち、前記母線に投入し、または前記母線から解列する進相コンデンサの台数を順次設定する掃引回路と、投入または解列後に前記母線に接続されている進相コンデンサ台数を切り替えるごとに、前記母線の電圧歪および電流歪を測定し、測定された前記電圧歪が第１しきい値よりも大きい場合の、または測定された前記電流歪が第２しきい値よりも大きい場合の前記進相コンデンサ台数を、前記母線に投入する台数から除外するスキップ台数として出力する高調波測定手段と、前記スキップ台数にもとづいて、前記母線に投入し、または前記母線から解列する前記進相コンデンサの台数を設定する進相コンデンサ台数設定手段と、を備える。
【発明の効果】
【０００９】
本実施形態では、高調波測定手段および掃引回路によって、進相コンデンサの投入個数ごとに電圧歪および電流歪の測定を行う。そして、進相コンデンサ台数設定手段によって、電圧歪および電流歪が大きくなった場合の母線への接続台数を高調波並列共振の状態であるとして、スキップ台数として設定することができる。そのため、掃引回路による掃引時ごとの高調波並列共振の状態を回避することができる。
【図面の簡単な説明】
【００１０】
【図１】第１の実施形態に係る自動力率調整装置を例示するブロック図である。
【図２】第１の実施形態の自動力率調整装置の動作を説明するためのフローチャートの例である。
【図３】比較例の自動力率調整装置を例示するブロック図である。
【図４】第２の実施形態に係る自動力率調整装置を例示するブロック図である。
【図５】第２の実施形態の自動力率調整装置の動作を説明するためのフローチャートの例である。
【発明を実施するための形態】
【００１１】
以下、図面を参照しつつ、本発明の実施形態について説明する。
なお、図面は模式的または概念的なものであり、各部分の厚みと幅との関係、部分間の大きさの比率などは、必ずしも現実のものと同一とは限らない。また、同じ部分を表す場合であっても、図面により互いの寸法や比率が異なって表される場合もある。
なお、本願明細書と各図において、既出の図に関して前述したものと同様の要素には、同一の符号を付して詳細な説明を適宜省略する。
【００１２】
（第１の実施形態）
図１は、本実施形態に係る自動力率調整装置を例示するブロック図である。
図１に示すように、本実施形態の自動力率調整装置１０は、電力系統１に計器用変圧器２および計器用変流器３を介して接続されている。
【００１３】
自動力率調整装置１０は、力率調整部２０と、スキップ台数補正部３０と、を備える。力率調整部２０およびスキップ台数補正部３０には、それぞれ計器用変圧器２および計器用変流器３を介して、電力系統１の電圧および電流が入力される。
【００１４】
電力系統１は、たとえば三相交流電源であり、６．６ｋＶあるいは６６ｋＶ等の高圧交流電源である。電力系統１と構内母線４との間に変圧器を設けるようにしてもよい。電力系統１と構内母線４との間に変圧器を設けた場合には、スキップ台数補正部３０には、計器用変圧器２に代えて、構内母線４に接続された計器用変圧器を介して構内母線４の電圧を入力するようにしてもよい。
【００１５】
本実施形態の自動力率調整装置１０は、進相コンデンサバンク１２に接続されたコンタクタ群１４の制御入力に接続されている。進相コンデンサバンク１２は、複数の進相コンデンサ１３を含む。コンタクタ群１４は、複数のコンタクタ１５を含む。複数のコンタクタ１５は、進相コンデンサ１３にそれぞれ接続されている。自動力率調整装置１０は、コンタクタ群１４の制御入力から設定されたコンタクタ１５を選択する。自動力率調整装置１０によって選択されたコンタクタ１５は、設定された台数の進相コンデンサ１５を構内母線４に投入し、または解列する。
【００１６】
自動力率調整装置１０は、目標力率の設定値およびスキップ台数の設定値を、たとえば外部に接続された制御盤（図示せず）等によって入力する。自動力率調整装置１０は、目標力率およびスキップ台数の設定値にもとづいて、対応するコンタクタ１３によって投入する進相コンデンサ１５を構内母線４に投入する。
【００１７】
力率調整部２０は、力率演算部２１と、目標力率設定部２２と、進相コンデンサ投入台数演算部２３と、進相コンデンサ開閉器投入指令部２４と、スキップ台数設定部２５と、を含む。
【００１８】
力率演算部２１は、電力系統１の受電点に、計器用変圧器２および計器用変流器３を介して、接続される。力率演算部２１は、受電点の電圧および電流にもとづいて力率を計算する。
【００１９】
目標力率設定部２２は、たとえば外部の操作盤の操作パネル（図示せず）に接続されている。目標力率設定部２２には、たとえばオペレータが目標となる力率の値を手動で操作パネルから入力する。
【００２０】
進相コンデンサ投入台数演算部（ＳＣ投入台数演算部）２３は、力率演算部２１および目標力率設定部２２の出力に接続されている。進相コンデンサ投入台数演算部２３は、力率演算部２１によって計算された受電点の力率およびあらかじめ設定された目標力率の値がそれぞれ入力される。進相コンデンサ投入台数演算部２３は、受電点の力率および目標力率にもとづいて、投入すべき進相コンデンサ１３の台数を計算する。
【００２１】
進相コンデンサ開閉器投入指令部（ＳＣ開閉器投入指令部）２４は、進相コンデンサ投入台数演算部２２の出力に接続されている。進相コンデンサ開閉器投入指令部２４は、進相コンデンサ投入台数演算部２２によって計算された進相コンデンサ１３の投入台数にもとづいて、コンタクタ１５を開閉するための開閉投入信号を生成する。
【００２２】
進相コンデンサ開閉器投入指令部２４は、駆動回路（図示せず）を介してコンタクタ群１４に接続されている。進相コンデンサ開閉器投入指令部２４は、投入台数に応じた開閉投入信号をコンタクタ群１４に供給し、対応するコンタクタ１５の開閉動作を制御する。
【００２３】
スキップ台数設定部２５は、図示しない操作パネル等を介して、オペレータによってスキップ台数が入力される。スキップ台数とは、進相コンデンサバンク１２中、母線４に投入しない進相コンデンサ１３の台数をいう。たとえば、スキップ台数を４に設定した場合には、スキップ台数設定部２５は、進相コンデンサ１３の投入台数から４台を除外する。進相コンデンサ投入台数演算部２３によって目標力率を達成するために、進相コンデンサ１３の投入台数が４台とされたときであっても、４台を除外し、３台または５台に設定するように進相コンデンサ開閉器投入指令部２４に指令する。
【００２４】
スキップ台数設定部２５に設定されるスキップ台数は、たとえばオフライン計算等によってあらかじめ求められる。あるいは、スキップ台数設定部２５には、外部からあらかじめ台数を設定せずに、後述するスキップ補正部３０によって測定された値を設定値としてもよい。
【００２５】
スキップ台数補正部３０は、高調波測定部３１と、測定データ記録部３２と、掃引回路３３と、スキップ台数補正設定部３４と、を含む。
【００２６】
高調波測定部３１は、受電点の電圧および電流を入力する。電力系統１と構内母線４との間に変圧器を設けた場合には、高調波測定部３１には、構内母線４の電圧が入力される。
【００２７】
高調波測定部３１は、入力された電圧および電流の歪みをそれぞれ測定する。また、高調波測定部３１は、測定データ記録部３２に接続されており、測定した歪みデータを測定データ記録部３２に格納する。データ記録部３２には、測定された歪みデータのほかに、電圧および電流の歪みに関するしきい値が格納されている。
【００２８】
高調波測定部３１は、測定データ記録部３２に格納されている電圧および電流の歪みデータならびにそれぞれのしきい値を読み出す。高調波測定部３１は、歪みデータとしきい値とを比較して、進相コンデンサ１３を投入することができるか否かを判定する。
【００２９】
高調波測定部３１は、たとえば、ＦＦＴ（Fast Fourier Transform）アナライザ等を用いることができる。測定データ記録部３２は、ＦＦＴアナライザに付属や内蔵の補助記憶装置であってもよいし、ＦＦＴアナライザ等と相互に接続することができる通信ネットワーク上に設けられた記憶装置等であってもよい。
【００３０】
掃引回路３３の出力は、力率調整部２０の進相コンデンサ開閉器投入指令部２４に接続されている。掃引回路３３は、進相コンデンサ開閉器投入指令部２４に対して、進相コンデンサ１３の投入台数を設定する。進相コンデンサ開閉器投入指令部２４は、掃引回路３３から設定された台数を投入するようにコンタクタ群１４に指令する。
【００３１】
掃引回路３３は、進相コンデンサ１３の投入台数を設定する際には、たとえば、０台、１台、２台、のように、順次投入台数の設定を切り替える。順次投入台数を切り替える場合に限らず、たとえば、１０台、９台、８台、のように、順次解列台数を切り替えるようにしてもよい。投入や解列の順序は、１台ずつに限らず任意に設定することができる。
【００３２】
掃引回路３３は、高調波測定部３１および測定データ記録部３２に接続されており、受電点の電圧および電流の測定、データの格納、比較の実行を完了するごとに、投入台数または解列台数の切り替えを行う。
【００３３】
掃引回路３３は、たとえば、リレーシーケンスやシーケンサプログラムによって実現される。これらによって、コンタクタ１５を設定された時間間隔で投入し、解列する。
【００３４】
スキップ台数補正設定部３４は、掃引回路３３の出力に接続されている。そのため、スキップ台数補正設定部３４は、進相コンデンサ１３の投入台数を認識することができる。
【００３５】
また、スキップ台数補正設定部３４は、高調波測定部３１および測定データ記録部３２に接続されている。スキップ台数補正設定部３４は、受電点の電圧歪としきい値との比較の結果、電圧歪がしきい値よりも大きい場合には、そのときの進相コンデンサ１３の投入台数がスキップすべきであるとの指令を力率調整部２０のスキップ台数設定部２５に指令する。スキップ台数補正設定部３４は、受電点の電流歪についても同様に、電流歪がしきい値よりも大きい場合には、そのときの進相コンデンサ１３の投入台数をスキップすべきとの指令をスキップ台数設定部２５に指令する。
【００３６】
なお、上述では、スキップ台数補正部３０は、力率調整部２０と同一の筐体内に収納され、自動力率調整装置１０として機能する場合について説明したが、スキップ台数補正部３０は、力率調整部２０と別の筐体に収納された進相コンデンサ投入台数補正装置であってもよい。
【００３７】
本実施形態の自動力率調整装置の動作について説明する。
図２は、本実施形態の自動力率調整装置の動作を説明するためのフローチャートである。
図２に示すように、ステップＳ１において、掃引回路３３は、進相コンデンサ１３の投入台数Ｎの初期値として０を設定する。掃引回路３３は、投入台数Ｎを進相コンデンサ開閉器投入指令部２４に送信する。進相コンデンサ開閉器投入指令部２４は、コンタクタ群１４に対して、すべての進相コンデンサ１３を解列するように指令を送出する。
【００３８】
なお、このとき、力率調整部２０の力率演算部２１および進相コンデンサ投入台数演算部２３の動作は停止されている。力率調整部２０の力率演算部２１および進相コンデンサ投入台数演算部２３は動作するように設定されていてもよいが、進相コンデンサ開閉器投入指令部２４への入力は、掃引回路３３からの信号が優先される。また、目標力率設定部２１には、力率の目標値が設定されており、スキップ台数設定部２５にスキップ台数が設定されているものとする。
【００３９】
ステップＳ２において、高調波測定部３１は、受電点（または構内母線４）の電圧歪および電流歪を測定し、これらの測定値Ｖｈ，Ｉｈを測定データ記録部３２に記録する。測定データ記録部３２には、電圧歪の設定値Ｖｓｅｔおよび電流歪の設定値Ｉｓｅｔがあらかじめ記録されている。電圧歪および電流歪の測定値は、たとえば全高調波歪率として測定データ記録部３２に記録される。
【００４０】
ステップＳ３において、高調波測定部３１は、電圧歪の測定値Ｖｈおよび設定値Ｖｓｅｔを測定データ記録部３２から読み出して、電圧歪の測定値Ｖｈが設定値Ｖｓｅｔよりも大きいか否かを判定する。高調波側的部３１は、電流歪の測定値Ｉｈおよび設定値Ｉｓｅｔを読み出して、電流歪の測定値Ｉｈが設定値Ｉｓｅｔよりも大きいか否かを判定する。スキップ台数補正部３０は、測定値Ｖｈが設定値Ｖｓｅｔよりも大きいか、測定値Ｉｈが設定値Ｉｓｅｔよりも大きい場合には、次のステップＳ４に遷移する。測定値Ｖｈが設定値Ｖｓｅｔ以下、かつ測定値Ｉｈが設定値Ｉｓｅｔ以下の場合には、ステップＳ４を実行することなく、ステップＳ５に遷移する。
【００４１】
ステップＳ４において、掃引回路３３は、そのときの進相コンデンサ１３の投入台数Ｎを測定データ記録部３２に記録する。
【００４２】
ステップＳ５において、掃引回路３３は、進相コンデンサ１３の投入台数Ｎが最大値であるか否かを判定する。投入台数Ｎが最大値のときには、掃引回路３３は、測定データ記録部３２から、電圧歪の測定値Ｖｈが設定値Ｖｓｅｔよりも大きいか、電流歪の測定値Ｉｈが設定値Ｉｓｅｔよりも大きいときの進相コンデンサ１３の投入台数Ｎを読み出す。掃引回路３３は、読み出した投入台数Ｎをスキップ台数補正設定部３４に供給する。
【００４３】
ステップＳ６において、スキップ台数補正設定部３４は、スキップ台数設定部２５に設定されたスキップ台数を読み出した投入台数Ｎに置き換える。なお、スキップ台数補正設定部３４は、測定データ記録部３２から読み出されたスキップすべき投入台数Ｎの値を、たとえばモニタ等の出力装置に出力し、オペレータによって投入台数Ｎに置き換えるか否かを判断するようにしてもよい。
【００４４】
ステップＳ５で進相コンデンサ１３の投入台数Ｎが最大値に満たないときには、ステップＳ７において、掃引回路３３は、投入台数Ｎに１を加算して、ステップＳ２に戻る。掃引回路３３は、設定された新たな投入台数Ｎに設定するようにコンタクタ群１４に指令する。
【００４５】
本実施形態の自動力率調整装置１０の作用および効果について、比較例の自動力率調整装置１１０と比較しつつ説明する。
図３は、比較例の自動力率調整装置１１０を例示するブロック図である。
図３に示すように、比較例の自動力率調整装置１１０は、本実施形態の場合のスキップ台数補正部３０を備えていない点で、本実施形態の自動力率調整装置１０と相違し、他の点では同一である。
【００４６】
比較例の自動力率調整装置１１０では、自動力率調整装置１１０を導入した時点における電源条件、負荷条件等にもとづいて、オフライン計算等によって進相コンデンサによる並列共振を生じる投入台数をあらかじめ求める。並列共振を生じるときの投入台数をスキップ台数として、スキップ台数設定部２５に設定する。このようにスキップ台数が固定値として設定されるので、比較例の自動力率調整装置１１０では、電源条件が変化したり、負荷増設等されたりした場合には、共振条件が変化し、スキップすべき投入台数が変化することがある。このような変更を行うたびに、進相コンデンサ１３の投入台数を計算しなおすことは多大な手間と労力を要する。さらに、構内構成が複雑な場合には、共振条件を解析すること自体容易ではない場合が多い。
【００４７】
これに対して、本実施形態の自動力率調整装置１０では、スキップ台数補正部３０を備えており、スキップ台数補正部３０は、高調波測定部３１と、測定データ記録部３２と、掃引回路３３とを含んでいる。自動力率調整装置１０では、掃引回路３３によって、進相コンデンサ１３を順次投入し、解列することができ、高調波測定部３１によって、進相コンデンサ１３ごとの電圧歪または電流歪を測定して、測定データ記録部３２にデータを記録することができる。そのため、進相コンデンサ１３が投入された台数によって、電力系統１や負荷１６等との間で並列共振を生じ電圧歪あるいは電流歪が生じていることを定量的に把握することができる。
【００４８】
本実施形態の自動力率調整装置１０では、スキップ台数補正部３０を動作させるたびに、そのときの電源構成や負荷状況に応じて電圧歪等を測定することができるので、高調波並列共振を回避するスキップ台数を容易に取得することができる。
【００４９】
たとえば、電圧歪等の測定値が設定値よりも大きくなる条件が複数検出された場合には、それぞれの電圧歪等のデータが測定データ記録部３２に記録されているので、オペレータによって適切な値等を選択して採用するようにすることができる。しきい値よりも大きい電圧歪等が複数検出された場合には、それぞれの場合について投入台数をスキップするようにしてももちろんよい。
【００５０】
（第２の実施形態）
上述の実施形態では、電圧歪等の測定値が設定値よりも大きい場合が複数の投入台数で生じた場合に、たとえばオペレータの判断によって適切なものを選択するようにしたが、これを自動的に最適なものを判断するようにすることもできる。
【００５１】
図４は、本実施形態の自動力率調整装置を例示するブロック図である。
図５は、本実施形態の自動力率調整装置の動作を説明するためのフローチャートの例である。
図４に示すように、本実施形態の自動力率調整装置２１０は、力率調整部２０と、スキップ台数補正部２３０と、を備える。
【００５２】
スキップ台数補正部２３０は、高調波測定部３０と、測定データ記録部３２と、掃引回路２３３と、スキップ台数補正設定部３４と、を含む。
【００５３】
掃引回路２３３は、電圧歪の測定値Ｖｈおよび電流歪の測定値Ｉｈの少なくとも一方が、それぞれの設定値Ｖｓｅｔ，Ｉｓｅｔよりも大きい値を示す場合が複数あるときには、複数の値をそれぞれ比較し、最大値を選択する。なお、電圧歪Ｖｈおよび電流歪Ｉｈは、たとえば基本波に対する高調波の歪率によって設定されるので、相互に大小関係を比較することが可能である。
【００５４】
ステップＳ１〜ステップＳ５については、第１の実施形態の場合と同様であるので、詳細な説明を省略する。
【００５５】
図５に示すように、ステップＳ１０において、掃引回路２３３は、測定データ記録部３２から設定値Ｖｓｅｔ，Ｉｓｅｔを超えた測定値Ｖｈ，Ｉｈを読み出し、それぞれを比較して最大値を選択する。なお、設定値Ｖｓｅｔ，Ｉｓｅｔを超えた測定値Ｖｈ，Ｉｈが１つの場合には、その値を選択する。
【００５６】
掃引回路３３は、選択した測定値の最大値をスキップ台数補正設定部３４に供給する。
【００５７】
ステップＳ１１において、スキップ台数補正設定部３４は、第１の実施形態の場合と同様に、供給されたスキップ台数となるように、コンタクタ群１４の各コンタクタ１５を設定する。
【００５８】
本実施形態の自動力率調整装置２１０の作用および効果について説明する。
本実施形態の自動力率調整装置２１０では、電圧歪、電流歪の測定値が、それぞれの設定値よりも大きい値を示す場合が複数あるときには、掃引回路２３３によって複数の値をそれぞれ比較し、最大値を選択する。そのため、オペレータの人為的な判断を介することなく、簡便に最適なスキップ台数を選択することができる。
【００５９】
以上説明した実施形態によれば、複数の電源モジュールを組み込んで小型化された電源装置および照明装置を実現することができる。
【００６０】
以上、本発明のいくつかの実施形態を説明したが、これらの実施形態は、例として提示したものであり、発明の範囲を限定することは意図していない。これら新規な実施形態は、その他のさまざまな形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明およびその等価物の範囲に含まれる。また、前述の各実施形態は、相互に組み合わせて実施することができる。
【符号の説明】
【００６１】
１  電力系統、２  計器用変圧器、３  計器用変流器、４  構内母線、１０，２１０  自動力率調整装置、１２  進相コンデンサバンク、１３  進相コンデンサ、１４  コンタクタ群、１５  コンタクタ、１６  負荷、２０  力率調整部、２１  力率演算部、２２  目標力率設定部、２３  進相コンデンサ投入台数演算部（ＳＣ投入台数演算部）、２４  進相コンデンサ開閉器投入指令部（ＳＣ開閉器投入指令部）、２５  スキップ台数設定部、３０  スキップ台数補正部、３１  高調波測定部、３２  測定データ記録部、３３，２３３  掃引回路、３４  スキップ台数補正設定部
【図１】
0006525924.tif 000002
【図２】
0006525924.tif 000003
【図３】
0006525924.tif 000004
【図４】
0006525924.tif 000005
【図５】
0006525924.tif 000006